(57)【要約】【課題】  コンタクトガラスへの汚れ付着を防止する画像読み取り装置を提供する。【解決手段】  シートスルー読み取りのコンタクトガラス３の少なくとも原稿Ｐと接触する側の表面の汚れを防止する汚れ防止手段３ａ，３ｂ，３ｃを備えた画像読み取り装置。【選択図】  図２
2005072813.tif 000002
【特許請求の範囲】
【請求項１】
シートスルー読み取りのコンタクトガラスの少なくとも原稿と接触する側の表面の汚れを防止する汚れ防止手段を備えたことを特徴とする画像読み取り装置。
【請求項２】
前記汚れ防止手段が前記表面に微細な凹凸を設け、この凹凸にオイル状の潤滑剤を塗布することからなることを特徴とする請求項１記載の画像読み取り装置。
【請求項３】
前記汚れ防止手段が前記表面に微細な凹凸を設け、この凹凸に汚れ防止機能を有するコーティングを施すことからなることを特徴とする請求項１記載の画像読み取り装置。
【請求項４】
前記汚れ防止手段が前記表面に微細な凹凸を設け、またこの凹凸に汚れ防止機能を有するコーティングを施し、さらにオイル状の潤滑剤を塗布することからなることを特徴とする請求項１ないし３のいずれか１項記載の画像読み取り装置。
【発明の詳細な説明】
【技術分野】
【０００１】
本発明は、デジタル読み取り方式の複写機、ファクシミリ等の画像読み取り装置に関するものである。
【背景技術】
【０００２】
画像読み取り装置においてガラス表面にコーティングを施して、汚れを防止する技術および類似する技術は従来から知られている（例えば、特許文献１，２，３および４参照）。特許文献１はガラス表面にコーティングを施して、汚れを防止するものであるが、コーティングだけでは、耐久性の確保がむずかしい。特許文献２はコーティングという点では似ているが、曇り防止であり、汚れ防止に効果は少ない。
【０００３】
特許文献３にもコーティング技術が示されているが、これは照明光の散乱が目的で、原稿読み取り面に対する処理ではない。また、特許文献４における技術も、帯電防止膜の凹凸を少なくして、摩擦抵抗を減らすのが目的で、本発明とは異なる。
【特許文献１】特開２０００−０３９６８０号公報
【特許文献２】特開２０００−２４４７０３号公報
【特許文献３】特開平０６−１８９０７８号公報
【特許文献４】特開平０９−２０８２６４号公報
【発明の開示】
【発明が解決しようとする課題】
【０００４】
シートスルー読み取り時に、読み取りコンタクトガラス上に汚れが付着すると、画像上スジになって現れる。ブックスキャン時は、汚れは点にしかならないが、シートスルー読み取り時は、汚れが読み取りライン上にあると線になり非常に目立ち、クレームになる確立が高い。
【０００５】
そこで本発明の目的は、上記の問題点を解決するために、コンタクトガラスへの汚れ付着を防止する画像読み取り装置を提供することにある。
【課題を解決するための手段】
【０００６】
前記の課題を解決するために、請求項１記載の発明では、シートスルー読み取りのコンタクトガラスの少なくとも原稿と接触する側の表面の汚れを防止する汚れ防止手段を備えた画像読み取り装置を最も主要な特徴とする。
【０００７】
請求項２記載の発明では、前記汚れ防止手段が前記表面に微細な凹凸を設け、この凹凸にオイル状の潤滑剤を塗布することからなる請求項１記載の画像読み取り装置を主要な特徴とする。
【０００８】
請求項３記載の発明では、前記汚れ防止手段が前記表面に微細な凹凸を設け、この凹凸に汚れ防止機能を有するコーティングを施すことからなる請求項１記載の画像読み取り装置を主要な特徴とする。
【０００９】
請求項４記載の発明では、前記汚れ防止手段が前記表面に微細な凹凸を設け、またこの凹凸に汚れ防止機能を有するコーティングを施し、さらにオイル状の潤滑剤を塗布することからなる請求項１ないし３のいずれか１項記載の画像読み取り装置を主要な特徴とする。
【発明の効果】
【００１０】
請求項１によれば、コンタクトガラス表面に汚れ防止手段を備えているので、原稿の汚れ、とくに糊等の粘着性の汚れが付着しにくくなるという効果を奏する。
【００１１】
請求項２によれば、コンタクトガラス表面に凹凸形状を設けることにより、凹部に潤滑剤が溜まり、原稿が表面を擦っても、潤滑剤を持って行くことがなく、潤滑効果が持続する。
【００１２】
また、コンタクトガラス表面凹凸形状を設けることにより、原稿とコンタクトガラスとの接触面積が小さくなり、原稿の汚れ、とくに糊等の粘着性の汚れが付着しにくくなる。
【００１３】
請求項３によれば、コンタクトガラス表面に凹凸形状を設けることにより、原稿との接触面積が小さくなるため、コーティングの磨耗が少なく、効果が持続する。
【００１４】
また、コンタクトガラス表面に凹凸形状を設けることにより、原稿とコンタクトガラスとの接触面積が小さくなり、原稿の汚れ、特に糊等の粘着性の汚れが付着しにくくなる。
【００１５】
請求項４によれば、潤滑剤がコーティング膜を保護するために、コーティング膜の耐久性が向上し、潤滑剤およびコーティング膜の効果がより持続するようになる。
【発明を実施するための最良の形態】
【００１６】
以下、図面により本発明の実施の形態を詳細に説明する。図１は本発明による基本的な原稿読み取り搬送装置（ＡＤＦ）および読み取り装置を説明する概略図である。図１において、給紙／分離部は原稿テーブル２に積み重ねられた原稿Ｐを最上位から１枚ずつ順番に搬送する。
【００１７】
底板４は原稿テーブル２上の原稿給紙側を支持して呼び出しコロ５に接する位置まで上昇させる。給紙部材６は給紙方向に回転して呼び出しコロ５よって呼び出された原稿Ｐを取り込み、分離部材７は給紙方向と逆方向に回転し、給紙された原稿Ｐの最上位の１枚のみを分離する。
【００１８】
搬送部９は給紙／分離部から搬送された原稿Ｐをコンタクトガラス３上の読み取り位置まで搬送し、搬送ローラ対８，８ａ、中間搬送ローラ１１，１１ａ等から構成されている。
【００１９】
搬送ローラ対８，８ａにより挟持搬送されてきた原稿Ｐはコンタクトガラス３上を移動して装置本体２０の本体側ガイド２０ｃに掬い取られた後、原稿Ｐが搬送ローラ対８，８ａおよび中間搬送ローラ１１，１１ａに挟持されている間は、原稿Ｐが張った状態で、コンタクトガラス３と非接触となりかつ読み取りガイド部材２１との接触面が小さい状態を維持する。
【００２０】
原稿Ｐの画像面を読み取る読み取り部１はコンタクトガラス３の下方の装置本体２０に設けられ、画像読み取りのさいに、コンタクトガラス３の下方で図の左右方向に移動、または読み取り位置下方で停止可能になっている。
【００２１】
排紙部は読み取りの後の原稿Ｐを排紙トレイ１５に排出する。本実施の形態のＡＤＦ１０は図示してないヒンジ等の連結部材によって装置本体２０に連結され、装置本体２０の操作部におけるスタートボタンの押し下げによりＡＤＦ側にスタート信号が送られることによって、最上位から順番に１枚ずつ給紙されるように構成されている。
【００２２】
コンタクトガラス３面を所定の速度で原稿１を搬送し、画像の読み取りを行う読み取り装置で、コンタクトガラス３の原稿通紙面より所定量高いガイド面がコンタクトガラス３の原稿搬送面の原稿読み取りライン位置より上流位置に形成されている。
【００２３】
本体側ガイド（突起状部材）２０ｃがコンタクトガラス３の下流端にコンタクトガラス３の原稿通紙面より原稿１を掬い上げる傾斜面を有すると共に、コンタクトガラス３の上面には、原稿１の上方へのバタ付きを押さえる原稿押さえ部材２１を配置している。
【００２４】
本実施の形態では、ＡＤＦ１０により原稿を１枚ずつ搬送し、読み取り装置１のコンタクトガラス３の上を通過する間に画像を読み取る。画像の読み取りは、読取り装置１で行う。
【００２５】
原稿Ｐ上の画像は、読み取り装置１のミラー３１，３２，３３、レンズ３４を通って、ＣＣＤ３５に結像する。ＣＣＤ３５によって取り込まれた画像データは、画像処理を施された後、プリンタ部へ送られ出力される。
【００２６】
図２は本発明の第１の実施の形態のコンタクトガラスの表面を、円部の拡大図とともに示す部分断面図である。本実施の形態のコンタクトガラス３表面の原稿側の面には、微細な凹凸３ｃが形成されている。
【００２７】
凹凸３ｃの形成は色々有り、例えば、研磨によってコンタクトガラス３表面に微細なキズを付けることにより、凹凸を形成する方法がある。また、エッチングにより凹凸を形成する方法もある。あるいは、表面にシリカ粉を吹き付け、焼き付ける方法によっても可能である。
【００２８】
本実施の形態では、コンタクトガラス３表面の凹凸３ｃの上に、オイル状の潤滑剤３ａを塗布している。潤滑剤３ａは、例えばシリコンオイルのようなものである。コンタクトガラス３表面に潤滑剤３ａを塗布することにより、表面の摩擦抵抗を小さくすることにより、汚れにくくなることは広く知られている。
【００２９】
しかし、原稿Ｐがコンタクトガラス３表面を繰り返し通過する毎に、潤滑剤３ａは原稿Ｐによって運ばれ、コンタクトガラス３表面からなくなっていくため、潤滑効果を持続させることが難しい。
【００３０】
本実施の形態のようにコンタクトガラス３表面に凹凸形状を設けると、凹部に潤滑剤３ａが溜まり、原稿が表面を擦っても、潤滑剤３ａを持って行くことがなく、潤滑効果が持続する。
【００３１】
また、凹凸形状を設けることにより、原稿Ｐとコンタクトガラス３との接触面積が小さくなり、原稿Ｐの汚れ、とくに糊等の粘着性の汚れが付着しにくくなる。
【００３２】
図３は本発明の第２の実施の形態のコンタクトガラスの表面を、円部の拡大図とともに示す部分断面図である。本実施の形態のコンタクトガラス表面の原稿側の面には、第２の実施の形態と同様に、微細な凹凸３ｃが形成されている。
【００３３】
本実施の形態では、コンタクトガラス３表面の凹凸３ｃの上に、汚れ防止のコーティング３ｂが施されている。コーティング３ｂは、通常、シリコン、フッ素等がよく使われるが、表面エネルギが小さく、摩擦抵抗の少ないコーティング処理を施すと、糊等の粘着性の汚れが付着しにくいことが知られている。
【００３４】
しかし、原稿Ｐがコンタクトガラス３表面を繰り返し通過する毎に、コーティング膜は原稿Ｐによって磨耗していくため、コーティング３ｂの効果を持続させるのが難しい。
【００３５】
本実施の形態のようにコンタクトガラス３表面に凹凸形状を設けると、原稿Ｐとの接触面積が小さくなるため、コーティング３ｂの磨耗が少なく、効果が持続する。また、凹凸形状を設けることにより、原稿Ｐとコンタクトガラス３との接触面積が小さくなり、原稿Ｐの汚れ、とくに糊等の粘着性の汚れが付着しにくくなる。
【００３６】
図４は本発明の第３の実施の形態のコンタクトガラスの表面を、円部の拡大図とともに示す部分断面図である。本実施の形態のコンタクトガラス３表面の原稿側の面には、第１および２の実施の形態と同様に、微細な凹凸３ｃが形成されている。
【００３７】
本実施の形態では、第１および２の実施の形態の構成を設けるように、コンタクトガラス３表面の凹凸３ｃの上に、汚れ防止のコーティング３ｂが施されており、かつオイル状の潤滑剤３ａが塗布されている。
【図面の簡単な説明】
【００３８】
【図１】本発明による基本的な原稿読み取り搬送装置（ＡＤＦ）および読み取り装置を説明する概略図である。
【図２】本発明の第１の実施の形態のコンタクトガラスの表面を、円部の拡大図とともに示す部分断面図である。
【図３】本発明の第２の実施の形態のコンタクトガラスの表面を、円部の拡大図とともに示す部分断面図である。
【図４】本発明の第３の実施の形態のコンタクトガラスの表面を、円部の拡大図とともに示す部分断面図である。
【符号の説明】
【００３９】
１    読み取り装置
３    コンタクトガラス
３ａ    オイル状潤滑剤（汚れ防止手段）
３ｂ    防汚コーティング（汚れ防止手段）
３ｃ    コンタクトガラス表面の凹凸（汚れ防止手段）
Ｐ    原稿
【図１】
2005072813.tif 000003
【図２】
2005072813.tif 000004
【図３】
2005072813.tif 000005
【図４】
2005072813.tif 000006